(57)【要約】【課題】各種電子機器に用いられるタッチパネル及びこれを用いた入力装置に関し、視認性が良好で操作の行い易いものを提供することを目的とする。【解決手段】上基板１の上導電層３と所定の間隙を空けて対向する下導電層４が形成された下基板２の下面全面に、光透過性でシリコンゴムの微粘着層１０を形成してタッチパネル１１を構成し、これを表示素子７に貼付することによって、表示素子７との間に空気層等が介在したものに比べ、光の屈折が小さく、背面の液晶表示素子７の視認性が良好で、操作が行い易くなると共に、貼付や剥離が容易で、表示素子７への装着も行い易いタッチパネル及びこれを用いた入力装置を得ることができる。【選択図】図１
2005274667.tif 000002
【特許請求の範囲】
【請求項１】
下面に上導電層が形成された光透過性の上基板と、上面に上記上導電層と所定の間隙を空けて対向する下導電層が形成された光透過性の下基板と、この下基板の下面全面に形成された光透過性の微粘着層からなるタッチパネル。
【請求項２】
微粘着層をシリコンゴムで形成した請求項１記載のタッチパネル。
【請求項３】
複数の微粘着層を重ねて形成した請求項１記載のタッチパネル。
【請求項４】
請求項１記載のタッチパネルを、微粘着層を介して表示素子の上面に貼付した入力装置。
【発明の詳細な説明】
【技術分野】
【０００１】
本発明は、各種電子機器に用いられるタッチパネル及びこれを用いた入力装置に関するものである。
【背景技術】
【０００２】
近年、携帯電話や携帯端末等の各種電子機器の高機能化や多様化が進むに伴い、液晶等の表示素子の前面に光透過性のタッチパネルを装着して、このタッチパネルを通して背面の表示素子に表示された文字や記号、絵柄等の視認や選択を行い、指や専用ペン等でタッチパネルを押圧操作することによって、機器の各機能の切換えを行うものが増えており、視認性に優れ操作の行い易いものが求められている。
【０００３】
このような従来のタッチパネル及びこれを用いた入力装置について、図２を用いて説明する。
【０００４】
なお、構成を判り易くするために、図面は厚さ方向の寸法を拡大して表している。
【０００５】
図２は従来の入力装置の断面図であり、同図において、１はフィルム状で光透過性の上基板、２は同じく光透過性の下基板で、上基板１の下面には酸化インジウム錫等の光透過性の上導電層３が、下基板２の上面には同じく下導電層４が各々形成されている。
【０００６】
そして、下導電層４の上面には絶縁樹脂によって複数のドットスペーサ（図示せず）が所定間隔で形成されると共に、額縁状のスペーサ５の上下面に塗布形成された接着層（図示せず）によって、上基板１と下基板２の外周が貼り合わされ、上導電層３と下導電層４が所定の間隙を空けて対向するようにして、タッチパネル６が構成されている。
【０００７】
また、７は液晶等の表示素子、８は額縁状の貼付シートで、この貼付シート８の上下面に塗布形成されたアクリル等の粘着層８Ａによって、タッチパネル６が表示素子７上面へ貼付されて入力装置が構成されている。
【０００８】
そして、このように構成された入力装置は、上導電層３と下導電層４が機器の電子回路（図示せず）へ電気的に接続されて、電子機器に装着される。
【０００９】
以上の構成において、タッチパネル６背面の液晶表示素子７の表示を視認しながら、上基板１上面を指或いはペン等で押圧操作すると、上基板１が撓み、押圧された箇所の上導電層３が下導電層４に接触する。
【００１０】
そして、電子回路から上導電層３と下導電層４へ順次電圧が印加され、これらの電圧比によって、押圧された箇所を電子回路が検出し、機器の様々な機能の切換えが行われるように構成されているものであった。
【００１１】
なお、この出願の発明に関連する先行技術文献情報としては、例えば、特許文献１が知られている。
【特許文献１】特開平６−３０９１０１号公報
【発明の開示】
【発明が解決しようとする課題】
【００１２】
しかしながら、上記従来のタッチパネル６及びこれを用いた入力装置においては、貼付シート８によって貼付されたタッチパネル６下面と表示素子７上面の間に、上基板１や下基板２等とは屈折率の異なる空気層９が介在するため、この箇所で光の屈折が大きくなり、タッチパネル６背面の液晶表示素子７の表示が見づらくなるという課題があった。
【００１３】
本発明は、このような従来の課題を解決するものであり、視認性が良好で操作の行い易いタッチパネル及びこれを用いた入力装置を提供することを目的とする。
【課題を解決するための手段】
【００１４】
上記目的を達成するために本発明は、以下の構成を有するものである。
【００１５】
本発明の請求項１に記載の発明は、上基板の上導電層と所定の間隙を空けて対向する下導電層が形成された下基板の下面全面に、光透過性の微粘着層を形成してタッチパネルを構成したものであり、タッチパネルを表示素子上面に貼付し入力装置を形成した際、表示素子との間に空気層等が介在したものに比べ、光の屈折を小さくできるため、背面の液晶表示素子等の視認性が良好で、操作が行い易くなると共に、貼付や剥離が容易で、表示素子への装着も行い易いタッチパネルを得ることができるという作用を有する。
【００１６】
請求項２に記載の発明は、請求項１記載の発明において、微粘着層をシリコンゴムで形成したものであり、アクリル等に比べ透過率に優れたシリコンで微粘着層を形成することによって、液晶表示素子等の視認性をさらに良好なものとすることができるという作用を有する。
【００１７】
請求項３に記載の発明は、請求項１記載の発明において、複数の微粘着層を重ねて形成したものであり、複数の微粘着層の粘着力を異なるものとし、タッチパネルまたは表示素子の一方へは強く、他方へは比較的弱く貼付することで、表示素子への装着や剥離を行い易くすることができるという作用を有する。
【００１８】
請求項４に記載の発明は、請求項１記載のタッチパネルを、微粘着層を介して表示素子の上面に貼付して入力装置を構成したものであり、視認性が良好で操作の行い易い入力装置を実現することができるという作用を有する。
【発明の効果】
【００１９】
以上のように本発明によれば、視認性が良好で操作の行い易いタッチパネル及びこれを用いた入力装置を実現することができるという有利な効果が得られる。
【発明を実施するための最良の形態】
【００２０】
以下、本発明の実施の形態について、図１を用いて説明する。
【００２１】
なお、構成を判り易くするために、図面は厚さ方向の寸法を拡大して表している。
【００２２】
また、背景技術の項で説明した構成と同一構成の部分には同一符号を付して、詳細な説明を簡略化する。
【００２３】
（実施の形態）
図１は本発明の一実施の形態による入力装置の断面図であり、同図において、１はポリエチレンテレフタレートやポリカーボネート等のフィルム状で光透過性の上基板、２はガラスまたはアクリル、ポリカーボネート等の光透過性の下基板で、上基板１の下面には酸化インジウム錫や酸化錫等の光透過性の上導電層３が、下基板２の上面には同じく下導電層４がスパッタ法等によって各々形成されている。
【００２４】
そして、下導電層４の上面にはエポキシやシリコン等の絶縁樹脂によって複数のドットスペーサ（図示せず）が所定間隔で形成されると共に、不織布やポリエステルフィルム等の額縁状のスペーサ５の上下面に塗布形成された接着層（図示せず）によって、上基板１と下基板２の外周が貼り合わされ、上導電層３と下導電層４が所定の間隙を空けて対向している。
【００２５】
また、１０は光透過性でシリコンゴムの微粘着層で、この微粘着層１０が下基板２の下面全面に形成されて、タッチパネル１１が構成されている。
【００２６】
さらに、７は液晶等の表示素子で、下基板２の下面全面に形成された微粘着層１０によって、タッチパネル１１が表示素子７上面に貼付されて入力装置が構成されている。
【００２７】
そして、このように構成された入力装置は、上導電層３と下導電層４が機器の電子回路（図示せず）へ電気的に接続されて、電子機器に装着される。
【００２８】
以上の構成において、タッチパネル１１背面の液晶表示素子７の表示を視認しながら、上基板１上面を指或いはペン等で押圧操作すると、上基板１が撓み、押圧された箇所の上導電層３が下導電層４に接触する。
【００２９】
そして、電子回路から上導電層３と下導電層４へ順次電圧が印加され、これらの電圧比によって、押圧された箇所を電子回路が検出し、機器の様々な機能の切換えが行われるように構成されている。
【００３０】
また、この時、タッチパネル１１は、下基板２の下面全面に形成され透過率が９４〜９６％と、９０〜９２％のアクリル等に比べ透過率に優れたシリコンゴムの微粘着層１０によって、表示素子７上面に貼付されているため、表示素子７上面との間に空気層等が介在したものに比べ、光の屈折が小さくなり、背面の液晶表示素子７の視認を容易に行うことができる。
【００３１】
さらに、微粘着層１０はアクリル等に比べ微粘着性であるため、タッチパネル１１を表示素子７上面に貼付して入力装置を製作する際、貼る位置がずれた場合等に容易に剥がして貼り直すことができ、入力装置の製作も容易に行うことが可能となる。
【００３２】
このように本実施の形態によれば、上基板１の上導電層３と所定の間隙を空けて対向する下導電層４が形成された下基板２の下面全面に、光透過性でシリコンゴムの微粘着層１０を形成してタッチパネル１１を構成し、これを表示素子７に貼付することによって、表示素子７との間に空気層等が介在したものに比べ、光の屈折を小さくできるため、背面の液晶表示素子７の視認性が良好で、操作が行い易くなると共に、貼付や剥離が容易で、表示素子７への装着も行い易いタッチパネル及びこれを用いた入力装置を得ることができるものである。
【００３３】
また、微粘着層１０を複数層とし、これを下基板２の下面全面に重ねて形成することによって、複数の微粘着層１０の粘着力を異なるものとし、タッチパネル１１または表示素子７の一方へは強く、他方へは比較的弱く貼付することで、表示素子７への装着や剥離をより行い易くすることもできる。
【産業上の利用可能性】
【００３４】
本発明によるタッチパネル及びこれを用いた入力装置は、視認性が良好で操作の行い易いものを提供することができるという有利な効果を有し、各種電子機器の操作用装置として有用である。
【図面の簡単な説明】
【００３５】
【図１】本発明の一実施の形態による入力装置の断面図
【図２】従来の入力装置の断面図
【符号の説明】
【００３６】
１  上基板
２  下基板
３  上導電層
４  下導電層
５  スペーサ
７  表示素子
１０  微粘着層
１１  タッチパネル
【図１】
2005274667.tif 000003
【図２】
2005274667.tif 000004